(57)【特許請求の範囲】
【請求項１】
上筐体と下筐体とからなる外筐と、前記上筐体の一面側に情報を表示する表示部と、前記上筐体の前記一面側に操作ボタン群が配設された操作部と、情報処理回路が設けられたメイン基板と、カードが挿脱されるカードスロット部とを備え、前記表示部は表示用基板を有し、前記操作部は操作用基板を有する、電子機器であって、
前記表示用基板と前記操作用基板とを電気的に接続する第１の接続配線部材と、
前記操作用基板と前記メイン基板とを電気的に接続する第２の接続配線部材とを備え、
前記カードスロット部は、前記メイン基板上に設けられたカード装着部を有し、
前記メイン基板の厚み方向に対して、前記表示用基板、前記カード装着部、前記メイン基板の順序で対向配置され、
前記表示用基板と前記操作用基板は、互いに重ならない位置に配置され、
前記表示用基板は、前記操作用基板を介して前記メイン基板に電気的に接続されていることを特徴とする電子機器。
【請求項２】
前記カードスロット部は、前記上筐体に設けられカードを挿脱するための挿脱口を有し、
前記表示部、前記操作部、前記挿脱口は、前記上筐体の前記一面を共有し、
前記操作部と前記挿脱口は、前記表示部に対して異なる側に配置され、
前記第１の接続配線部材は、前記表示用基板の外周部の、前記挿脱口側に臨む一側端と異なる他側端に配置されている請求項１に記載の電子機器。
【請求項３】
前記メイン基板、前記表示用基板および前記操作用基板の厚み方向には、他の基板が存在しない請求項１または２に記載の電子機器。
【請求項４】
前記表示部は、表示板と、前記表示板に積層されて設けられたタッチパネルとを有する請求項１ないし３のいずれか１項に記載の電子機器。
【請求項５】
前記操作用基板は、一側端側が、前記第１の接続配線部材を介して前記表示用基板に電気的に接続され、前記一側端に直交する他側端が、前記第２の接続配線部材を介して前記メイン基板に電気的に接続されている請求項１ないし４のいずれか１項に記載の電子機器。
【発明の詳細な説明】
【０００１】
【発明の属する技術分野】
本発明は、情報を表示する表示部と、この表示部の表示内容等を操作するための操作部と、例えばＰＣＭＣＩＡ規格のＰＣカードや、ＣＦ（コンパクト・フラッシュ）カードが着脱されるカードスロットとを備える電子機器に関する。
【０００２】
【従来の技術】
従来、例えば、ＰＯＳ（Point Of Sale）端末、ＰＤＡ（Personal Data Assistant）等の携帯型の情報処理端末として用いられる電子機器が知られている。
【０００３】
この種の電子機器は、一般に、各種情報処理を行う情報処理部と、この情報処理部による処理情報等を表示する表示部と、情報処理部を操作するための操作釦群が配設された操作部とを備えている。
【０００４】
従来の電子機器としては、基板上で、液晶表示パネルおよびキー入力部のタッチ電極が、ＬＳＩチップにそれぞれ電気的に接続された構成が開示されている（特許文献１参照）。
【０００５】
また、従来の他の電子機器としては、液晶表示装置およびキーボード部が、フレキシブルリードを介して配線基板にそれぞれ電気的に接続された構成が開示されている（特許文献２参照）。
【０００６】
一般に、このような従来の電子機器が備える情報処理部は、情報処理回路が設けられたメイン基板を有している。表示部は、各種情報を表示する表示板と、この表示板が設けられた表示用基板とを有している。操作部は、複数の操作釦と、これら操作釦によって押込み操作されるスイッチ素子と、これら操作釦およびスイッチ素子が配設された操作用基板とを有している。
【０００７】
また、従来の電子機器は、メイン基板と表示用基板を電気的に接続するための第１の接続配線部材と、メイン基板と操作用基板を電気的に接続するための第２の接続配線部材とを備えている。これら第１および第２の接続配線部材としては、例えば、可撓性を有するフレキシブル・プリンテッド・サーキット（ＦＰＣ）やフレキシブル・フラット・ケーブル（ＦＦＣ）等が用いられている。
【０００８】
そして、従来の電子機器では、メイン基板、表示用基板および操作用基板上に、第１および第２の接続配線部材を接続するためのコネクタがそれぞれ設けられており、各基板を跨いで取り回された各接続配線部材が、各コネクタに嵌め込まれることで、メイン基板と、表示用基板および操作用基板とがそれぞれ電気的に接続されている。
【０００９】
【特許文献１】
特開昭６１−３９１４５号公報（第６図）
【特許文献２】
実開昭６２−４６９５５号公報（第４図）
【００１０】
【発明が解決しようとする課題】
近年、特に情報処理端末として用いられる電子機器は、機器全体の小型化および薄型化が求められている。
【００１１】
ところで、上述したような従来の電子機器では、機器全体のさらなる小型化および薄型化を図るため、筐体内に、各メイン基板、表示用基板および操作用基板を互いに近接させて配置させて、筐体を極力小さくすることが考えられている。しかしながら、このような従来の電子機器では、筐体内の内周壁と、メイン基板の外周部との間に、上述した第１および第２の接続配線部材を通すことが困難になり、各接続配線部材が各基板上の実装部品に干渉するため、各接続配線部材を筐体内で取り回すことが非常に困難であった。
【００１２】
また、電子機器では、機器全体の大きさに影響を及ぼすメイン基板のさらなる小型化が考えられている。しかしながら、メイン基板の小型化が図られた場合、メイン基板上には、表示用基板上のコネクタに対応する位置に、コネクタを配置することや、各接続配線部材を接続するためのコネクタ等を配置するスペースを確保することが困難になるという問題があった。
【００１３】
そこで、本発明は、機器全体の小型化および薄型化を図ることができる電子機器を提供することを目的とする。
【００１４】
【課題を解決するための手段】
上述した目的を達成するため、本発明に係る電子機器は、上筐体と下筐体とからなる外筐と、上筐体の一面側に情報を表示する表示部と、上筐体の一面側に操作ボタン群が配設された操作部と、情報処理回路が設けられたメイン基板と、カードが挿脱されるカードスロット部とを備え、表示部は表示用基板を有し、操作部は操作用基板を有する、電子機器であって、表示用基板と操作用基板とを電気的に接続する第１の接続配線部材と、操作用基板とメイン基板とを電気的に接続する第２の接続配線部材とを備える。また、カードスロット部は、メイン基板上に設けられたカード装着部を有する。さらに、メイン基板の厚み方向に対して、表示用基板、カード装着部、メイン基板の順序で対向配置されている。また、表示用基板と操作用基板は、互いに重ならない位置に配置されている。そして、表示用基板は、操作用基板を介してメイン基板に電気的に接続されている。
【００１５】
以上のように構成した本発明に係る電子機器によれば、メイン基板上に設けられたカード装着部に対向配置された表示用基板が、第１および第２の接続配線部材、操作用基板を介してメイン基板に電気的に接続されることによって、操作用基板とメイン基板とを電気的に接続する接続配線部材を、表示用基板とメイン基板とを電気的に接続する接続配線部材として共用することが可能になる。したがって、本発明に係る電子機器によれば、機器内部に、メイン基板、表示用基板および操作用基板、カードスロット部をコンパクトに配置することが可能になり、機器全体の小型化および薄型化が図られる。
【００１７】
【発明の実施の形態】
以下、本発明の具体的な実施形態について、情報処理端末を図面を参照して説明する。本実施形態の情報処理端末は、例えば、販売店等で在庫管理等の情報処理を行うＰＯＳ端末として用いられる電子機器である。
【００１８】
図１および図２に示すように、情報処理端末１は、各種情報処理を行う情報処理部５と、この情報処理部５による処理情報等を表示する表示部６と、情報処理部５を操作するための操作釦群が配設された操作部７と、各種ＰＣカードが装着されるカードスロット部８とを備えている。
【００１９】
また、この情報処理端末１は、図３および図４に示すように、表示部６と操作部７とを電気的に接続するための第１の接続配線部材１１と、操作部７と情報処理部５とを電気的に接続するための第２の接続配線部材１２と、組み合わされて外筐をなす一組の上筐体１３および下筐体１４とを備えている。
【００２０】
情報処理部５は、図示しないが、ＣＰＵ（Central Processing Unit）等の制御素子や各種電子部品が実装された情報処理回路が設けられたメイン基板１６を有している。メイン基板１６は、いわゆるプリント基板（プリンテッド・サーキット・ボード）が用いられており、外周部が、下筐体１３の内部に一体に設けられた複数の支持ボス１８に、ネジ止めされて固定されている。また、メイン基板１６の主面上には、図５および図６に示すように、第２の接続配線部材１２が電気的に接続されるコネクタ１９が、長手方向の一側端に設けられている。
【００２１】
表示部６は、図３および図４に示すように、各種情報を表示するＬＣＤ（Liquid Crystal Display）等の表示板２１と、この表示板２１が設けられた表示用基板２２とを有している。
【００２２】
表示用基板２２は、メイン基板１６と同様にプリント基板が用いられており、メイン基板１６の大きさより小さく形成されている。表示用基板２２は、主面が、メイン基板１６の主面に対向されて配置されており、上筐体１３に設けられた支持ボス（不図示）にネジ止めされて固定されている。
【００２３】
また、表示板２１の表示面上には、タッチパネル２３が積層されて設けられている。タッチパネル２３は、表示板２１の表示面全域に、例えばシリコーン樹脂等の透明な弾性材料を介して密着されて設けられている。
【００２４】
表示部６は、表示板２１に表示されたアイコン等に対応するタッチパネル上の位置をタッチペン（不図示）でペンタッチ操作することによって任意の動作モードを起動させたり、任意の機能を実行させたり、あるいはタッチペンの軌跡を手書きのイメージデータとして入力したり、文字認識してフォントデータとして入力したり、各種の入力処理をタッチパネルに対するペンタッチ操作によって行える入力操作機能を備えている。
【００２５】
操作部７は、複数の操作釦２６と、これら操作釦２６によって押込み操作されるスイッチ素子（不図示）と、これら操作釦２６およびスイッチ素子が配設された操作用基板２８とを有している。
【００２６】
操作用基板２８は、メイン基板１６、表示用基板２２と同様にプリント基板が用いられており、メイン基板１６および表示用基板２２の大きさより小さく形成されている。操作用基板２８は、主面が、メイン基板１６の主面に対向され、表示用基板２２の一側端に隣接する位置に配置されており、上筐体１３に設けられた支持ボス（不図示）にネジ止めされて固定されている。
【００２７】
また、操作用基板２８には、図６に示すように、メイン基板１６の主面に対向する対向面上に、第１の接続配線部材１１が電気的に接続されるコネクタ３１が、表示用基板２２の一側端に隣接する一側端に位置して設けられている。
【００２８】
さらに、操作用基板２８には、メイン基板１６の主面に対向する対向面上に、コネクタ３１が設けられた一側端に直交する他側端に、第２の接続配線部材１２が電気的に接続されるコネクタ３２が設けられている。すなわち、コネクタ３２は、メイン基板１６の一側端に設けられたコネクタ１９に対向する位置に設けられている。
【００２９】
そして、表示用基板２２および操作用基板２８は、メイン基板１６に電気的に接続された状態で、メイン基板１６の主面のほぼ投影面積内に配置されている。また、これら表示用基板２２および操作用基板２８は、互いに主面が重ならない位置に、それぞれ配置されており、互いに隣接する一側端の間に、隙間が確保されている。
【００３０】
カードスロット部８は、例えば、ＰＣＭＣＩＡ（Personal Computer Memory Card International Association [Architecture]）規格のＰＣカードや、ＣＦ（コンパクト・フラッシュ）カードに対応しており、図２に示すように、通信用のＰＣカード等が着脱自在に装着されるカード装着部３５を有している。また、カードスロット部８は、カード装着部３５に対してＰＣカード等を挿脱するための挿脱口３６と、この挿脱口３６を開閉するための蓋体３７とを有している。
【００３１】
カード装着部３５は、メイン基板１６上に設けられており、ＰＣカード等が装着された状態で、蓋体３７によって挿脱口３６を閉塞することが可能とされるように配置されている。挿脱口３６は、カード装着部３５に対応して、上筐体１３の一端部が切り欠かれて形成されている。蓋体３７は、電波を透過する材料によって略Ｌ字状に形成されており、上筐体１３の一端部に、回動支軸（不図示）を介して回動可能に支持されている。
【００３２】
第１および第２の接続配線部材１１，１２は、可撓性を有しており、例えば、第１の接続配線部材１１としてフレキシブル・プリンテッド・サーキット（ＦＰＣ）が用いられ、第２の接続配線部材１２としてフレキシブル・フラット・ケーブル（ＦＦＣ）が用いられている。
【００３３】
第１の接続配線部材１１は、一端が、表示用基板２２に電気的に接続されて固定されており、他端が、操作用基板２８のコネクタ３１を介して操作用基板２８に電気的に接続されている。
【００３４】
第２の接続配線部材１２は、一端が、操作用基板２８のコネクタ３２を介して操作用基板２８に電気的に接続されており、他端が、メイン基板１６のコネクタ１９を介してメイン基板１６に電気的に接続されている。この第２の接続配線部材１２は、表示用基板２２からの信号を、操作用基板２８を介してメイン基板１６に伝達するために、表示部６と情報処理部５との情報信号の入出力用の信号線を有している。なお、必要に応じて、第２の接続配線部材１２は、情報処理部５との情報信号の授受を行うために、表示部６および操作部７によって共用される。
【００３５】
また、操作用基板２８には、図示しないが、コネクタ３１とコネクタ３２を電気的に接続するための第３の接続配線部材が設けられてもよい。この構成が採られた場合、第３の接続配線部材は、操作部７によって使用されることなく、表示用基板２２とメイン基板１６とで情報信号の授受を行うための専用配線として用いられており、既存のアーキテクチャを極力変更する必要がないため好ましい。
【００３６】
上筐体１３には、主面に、各操作釦２６が挿通される挿通穴４０がそれぞれ設けられている。また、上筐体１３の主面には、表示部６の表示板２１およびタッチパネル２３を露出させるための表示窓４１が設けられている。
【００３７】
下筐体１４には、底面に、例えばバッテリパック４２等の二次電池が装着されるバッテリ装着部４３が設けられている。バッテリ装着部４３は、バッテリパック４２が挿脱される挿脱口４４と、この挿脱口４４を開閉するためのスライド板４５とを有している。挿脱口４４は、下筐体１４の底面部に、外方に開口されて形成されている。
【００３８】
また、下筐体１４の内部には、図示しないが、バッテリ装着部４３に隣接する位置に、表示部６のタッチパネル２３をペンタッチ操作するためのタッチペンが収納されるペン収納部が設けられている。
【００３９】
そして、上筐体１３および下筐体１４は、組み合わされてネジ止めされて固定されている。
【００４０】
以上のように構成された情報処理端末１について、使用状態を簡単に説明する。
【００４１】
情報処理端末１は、操作部７の操作釦２６を押し込み操作することで表示部６の表示内容を操作したり、表示部６に表示された表示内容に対応するタッチパネル２３上の任意の位置をタッチペンでペンタッチ操作したりすることにより、各種情報処理が行われる。
【００４２】
また、情報処理端末１は、カードスロット部８の蓋体３７を開放操作し、挿脱口３６から所望のＰＣカード等が挿入されてカード装着部３５に装着される。そして、カードスロット部８は、カード装着部３５にＰＣカード等が装着された状態で、蓋体３７を閉塞操作して、挿脱口３６が閉じられる。
【００４３】
上述したように、情報処理端末１は、表示用基板２２が、操作用基板２８を介してメイン基板１６に電気的に接続されたことによって、操作用基板とメイン基板とを電気的に接続するためのコネクタを、表示用基板とメイン基板とを電気的に接続するためのコネクタとして共用することが可能になる。
【００４４】
すなわち、この情報処理端末１によれば、表示用基板２２とメイン基板１６を接続するためのコネクタを表示用基板２２上に設けることで表示用基板２２を大型化させることなく、メイン基板１６および表示用基板２２の各外周部と、上筐体１３および下筐体１４の各内周部との間隔を詰めるとともに、表示用基板２２と操作用基板２８との間隔を詰めることが可能になる。したがって、情報処理端末１によれば、上筐体１３および下筐体１４の内部に、メイン基板１６、表示用基板２２および操作用基板２８をコンパクトに配置することが可能になり、機器全体の小型化および薄型化を図ることができる。
【００４５】
なお、上述した実施形態の情報処理端末１は、表示用基板２２が、操作用基板２８を介してメイン基板１６に電気的に接続される構成が採られたが、必要に応じて操作用基板２８が表示用基板２２を介してメイン基板１６に電気的に接続されるように構成されてもよいことは勿論である。
【００４６】
しかしながら、１つの製品で様々な仕様の電子機器を製造する場合、一般に、電子機器の製造工程では、操作用基板を共通部品として用いることが比較的多く、各仕様の電子機器で表示部の表示板のサイズや構成が異なることが多い。したがって、電子機器の製造工程を鑑みて、表示部側よりも比較的汎用性が高い操作部側の操作用基板に、表示用基板と電気的に接続するためのコネクタを配置する構成が好ましい。また、表示部には、仕様が異なる電子機器に使われる表示板等が用いられることが多く、その場合は、表示板等のコネクタの位置やケーブルの長さが、予め標準として決められており各仕様の電子機器に対応させて変更することが非常に困難である。したがって、標準の構成のままでは電子機器に用いることが困難な表示板等を用いることを可能にするためにも、操作用基板が、表示用基板とメイン基板との電気的接続を取り持つ構成が好ましい。
【００４７】
【発明の効果】
上述したように本発明に係る電子機器によれば、メイン基板上に設けられたカード装着部に対向対置された表示用基板が、第１の接続配線部材、操作用基板、第２の接続配線部材を介して、情報処理回路が設けられたメイン基板に電気的に接続されることによって、機器内部に、メイン基板、表示用基板および操作用基板、カードスロット部をコンパクトに配置することが可能になり、機器全体の小型化および薄型化を図ることができる。
【図面の簡単な説明】
【図１】本発明に係る情報処理端末を示す斜視図である。
【図２】前記情報処理端末を示す分解斜視図である。
【図３】前記情報処理端末を示す平面図である。
【図４】前記情報処理端末を示す断面図である。
【図５】メイン基板と操作用基板との接続状態を示す断面図である。
【図６】メイン基板と表示用基板および操作用基板との接続状態を示す側面図である。
【符号の説明】
１  情報処理端末
５  情報処理部
６  表示部
７  操作部
８  カードスロット部
１１  第１の接続配線部材
１２  第２の接続配線部材
１３  上筐体
１４  下筐体
１６  メイン基板
１８  支持ボス
１９  コネクタ
２１  表示板
２２  表示用基板
２３  タッチパネル
２６  操作釦
２８  操作用基板
３１  コネクタ
３２  コネクタ
【図１】
0003719432.tif 000002
【図２】
0003719432.tif 000003
【図３】
0003719432.tif 000004
【図４】
0003719432.tif 000005
【図５】
0003719432.tif 000006
【図６】
0003719432.tif 000007